(57)【要約】【課題】納骨室用の調湿具について、コストの高騰を伴うことなく適度な湿度に調整するとともにメンテナンスに要する労力を軽減して、納骨室内を清潔な状態に維持しやすいものとする。【解決手段】炭の調湿機能を利用して納骨室内の湿度を調整しその内部を清潔に維持するための納骨室用の調湿具１０であって、内外の通気性・透湿性を有する収納袋１４に調湿材としての炭２０が充填されて炭収納部１１を構成しており、炭収納部１１上側に取扱い時に把持するための把持部１２を突出して備えていることを特徴とするものとした。【選択図】図１
0003135411.tif 000002
【実用新案登録請求の範囲】
【請求項１】
炭の調湿機能を利用して納骨室内の湿度を調整し前記納骨室内部を清潔に維持するための納骨室用調湿具であって、内外の通気性・透湿性を有する収納袋に調湿材としての炭が充填されて炭収納部を構成しており、該炭収納部上側に取扱い時に把持するための把持部を突出して備えている、ことを特徴とする納骨室用調湿具。
【請求項２】
前記収納袋は、炭を外側から充填するための開放部を有しており、該開放部に続く前記収納袋の側面が紐材で縛られて絞り部とされたことで前記炭収納部に炭が封入されており、前記絞り部よりも上側の側面部分が、上に行くに従って横断面積を拡大させる向きの傾斜面を有して前記把持部に掛止構造を形成している、ことを特とする請求項１に記載した納骨室用調湿具。
【請求項３】
前記収納袋の開放部を略中央部で上から覆いながら両端側を前記炭収納部側面に垂らして設けたカバー布とともに、外側から前記紐材で縛られて前記絞り部とされ、前記把持部が前記カバー布で覆われてなることを特徴とする、請求項２に記載した納骨室用調湿具。
【請求項４】
前記収納袋は、合成繊維製の不織布または竹炭和紙からなることを特徴とする請求項１，２または３に記載した納骨室用調湿具。
【請求項５】
前記収納袋に充填する炭は、竹炭であることを特徴とする請求項１，２，３または４に記載した納骨室用調湿具。
【考案の詳細な説明】
【技術分野】
【０００１】
本考案は、墓に付設した納骨室に配置することにより過剰な湿気を除去して水の貯留やカビ・虫・悪臭の発生を防止し、納骨室内部を清潔に維持するための納骨室用調湿具に関する。  
【背景技術】
【０００２】
近年では、１つの墓に骨壺を複数安置する方式が一般的となっており、その納骨室は複数の骨壺を並べて安置可能なスペースを有している。このような墓においては、骨壺の追加や整理の度に蓋石を開けて納骨室内で作業が行われるが、その作業の際に明らかとなるのが湿気に由来する貯留水やカビ・虫・悪臭の存在である。即ち、内外の通気性に乏しい納骨室内では、容易に結露を生じて骨壺内や納骨室底部に水が貯留しやすく、これにより内部にカビが発生して悪臭を生じるとともに、ナメクジやシロアリ、ゴキブリ等の虫が集まりやすい状況となる。  
【０００３】
この納骨室内の劣悪な状況は、先祖や亡くなった家族の霊を祀る者にとっては耐え難いものである。この過剰な湿気に由来する納骨室内の問題に対し、特開平１１−２２９６７０号公報には、太陽電池等の電源に回路接続されたモータで送風機を駆動させて納骨室内を強制排気する装置が提案されている。これにより、納骨室内の湿度は適度に調整されて、水の貯留やカビ・虫等の発生を防止できるものとなる。
【０００４】
しかし、斯かる装置を墓に付設することは多大な手間とコストを要することに加え、長期間に亘って使用するにはモータ等の電気部品の専門的なメンテナンスを要するために容易に採用できるものではなく、半永久的な使用は想定しがたいものである。これに対し、実登３０６７８６４号公報や特開２００２−１０６２０９号公報に記載され、図５，図６に示す墓１，２のように、周壁３，４で囲まれた納骨室５，６内で棚７の上面に骨壺３０，３０を安置し、その下方となる底部に竹炭等の炭２１を敷き詰めて調湿機能を発揮させ、水の貯留やカビの発生を防止する手段が知られている。殊に竹炭は調湿機能に加え高い脱臭機能・除菌機能を有し、納骨室内環境の清浄化に極めて有用性の高い炭として評価されている。
【０００５】
このように、湿度の高い状態で吸湿し乾燥状態では水分を放出する特性を有して調湿機能に優れた炭２１を、そのまま敷き詰めて調湿材として使用することにより、湿気に伴う納骨室内の問題に比較的低コストで対応できるようになる。しかし、納骨室内は湿度の高い状態を通年維持する場合が多く、時間の経過により炭２１の吸湿力が飽和して調湿機能が発揮されにくい状態に陥りやすい。
【０００６】
そのため、適当な時期に敷き詰めた炭２１を回収して、これを天日に干して乾燥させ、或いは廃棄してから、再度炭２１を敷き詰める作業が必要となる。しかしながら、人が入るには狭いとともに奥が深く隅々まで手の届きにくい納骨室内の作業は、多大な手間と労力を要することになることから、専門業者に依頼せざるを得ない場合も多く、必要な時期に炭２１のメンテナンス作業を実施することが極めて困難な状況である。
【特許文献１】特開平１１−２２９６７０号公報
【特許文献２】実登３０６７８６４号公報
【特許文献３】特開２００２−１０６２０９号公報
【考案の開示】
【考案が解決しようとする課題】
【０００７】
本考案は、上記のような問題点を解決しようとするものであり、納骨室用調湿具について、コストの高騰を伴うことなく適度な湿度に調整するとともにメンテナンスに要する労力を軽減して、納骨室内を清潔な状態に維持しやすいものとすることを課題とする。
【課題を解決するための手段】
【０００８】
そこで、本考案は、炭の調湿機能を利用して納骨室内の湿度を調整しその内部を清潔に維持するための納骨室用調湿具であって、内外の通気性・透湿性を有する収納袋に調湿材としての炭が充填されて炭収納部を構成しており、この炭収納部上側に取扱い時に把持するための把持部を突出して備えている、ことを特徴とするものとした。
【０００９】
このように、内外の通気性・透湿性を有する収納袋に適度な量の炭を充填したことにより、その調湿能を妨げることなく複数の炭を１つの調湿具に纏めることができ、しかもその本体上部に手で掴むことで把持して取り扱うための把持部を設けたことにより、メンテナンス作業を容易に行えるものとなる。
【００１０】
また、その収納袋は炭を外側から充填するための開放部を有しており、この開放部に続く収納袋の側面が紐材で縛られて絞り部とされたことで炭収納部に炭が封入されており、その絞り部よりも上側の側面部分が、上に行くに従ってその横断面積を拡大させる向きの傾斜面を有して把持部に掛止構造を形成しているものとすれば、把持部の絞り部付近を手で掴むことで把持しやすいとともに傾斜面による掛止構造で滑り落ちにくいものとなって、安定的に取り扱えるものとなる。
【００１１】
さらに、この傾斜面を有した把持部は、収納袋の開放部を略中央部で上から覆いながら両端側を炭収納部側面に垂らして設けたカバー布とともに、外側から紐材で縛られて絞り部とされ、把持部がこのカバー布で覆われてなるものとすれば、把持部を所望の大きさ・形状に設定しやすいものとなり、一層把持しやすいものとすることができる。
【００１２】
さらにまた、上述した納骨室用調湿具において、その収納袋は合成繊維製の不織布または竹炭和紙からなるものとすれば、耐蝕性に優れているとともに内外の通気性・透湿性を確保しやすいものとなり、加えて、上述した納骨室用調湿具において、その調湿材として収納袋に充填する炭が竹炭であるものとすれば、比較的低コストで優れた調湿機能を発揮しやすいものとなる。
【考案の効果】
【００１３】
通気性・透湿性を有する収納袋に調湿機能を有する炭を充填してなる炭収納部を設けその上側に把持部を設けた本考案によると、コストの高騰を伴うことなく適度な湿度に調整するとともにメンテナンスに要する労力を軽減して、納骨室内を清潔な状態に維持しやすいものとすることができる。
【考案を実施するための最良の形態】
【００１４】
以下に、図面を参照しながら本考案を実施するための最良の形態を説明する。尚、本考案において、竹炭和紙とは和紙の製作工程において和紙を構成する植物繊維間に竹炭微粉末を固定させ竹炭の持つ機能を付与した和紙を指すものとする。
【００１５】
図１（Ａ）は、本実施の形態の納骨室用の調湿具１０の正面図を示しており、図１（Ｂ）は（Ａ）のＸ−Ｘ線に沿う断面図を示している。内部に炭２０を充填するための収納袋１４は、底面１４ａが略方形で上部に底面と同様の形状となる開放部１４ｂを有する袋体であり、そのサイズは炭１．５ｋｇ程度を充填する場合、２５ｃｍ×８ｃｍ×４０ｃｍで上面が開放した略直方体状のものが適当である。
【００１６】
この収納袋１４の素材としては、内外の通気性・透湿性確保の観点で繊維間に多数の細孔を形成した不織布や和紙を使用することが推奨され、その耐蝕性・耐水性の観点から合成繊維製の不織布が好適である。或いは、特開２００５−３０７３８５号公報に記載されているような竹炭微粉末入り和紙である竹炭和紙も、竹炭の抗菌作用で腐りにくく比較的水にも強く、且つ収納袋自体が消臭機能を発揮する点で優れている。
【００１７】
調湿材としての炭２０は、調湿機能の高さ、有機物の吸着・分解作用による消臭機能の強さの観点で特に竹炭が好適である。そして、その竹炭の中でも本願考案者らの使用経験から、鹿児島県産の孟宗竹を用いて自然乾留式炭製造装置で製造したものが空気清浄機能の観点で最も優れている。尚、この炭２０は、短冊状のものを構成単位として総量１ｋｇ〜２ｋｇとなるように充填すれば、納骨室内での配置のし易さ（１〜３個で充分量）と機能のバランスに優れたものとなる。
【００１８】
本実施の形態においては、収納袋１４の開放部１４ｂから内部に炭２０を充填し、その側面の開放部１４ｂ付近の適当な位置で紐１６を用いて周方向に縛り絞り部１３を形成して炭２０を封入する。この封入の際、図のような帯状（長方形）のカバー布１５を、その中央部が開放部１４ｂを覆って被さるようにしてその両端側が炭収納部１１を構成する収納袋１４の側面に垂れるように上から掛け、このカバー布１５ごと紐１６で縛って封入するとよい。
【００１９】
これにより、図１（Ａ）に示すように炭収納部１１の上側に正面視略逆三角形の把持部１２が形成され、この把持部１２を手で掴むことで安定的に把持しながら運搬しやすいものとなる。即ち、収納袋１４の開放部１４ｂ付近の側面を紐１６で直接縛るだけでも絞り部１３より上の側面で形成される部分が上に行くに従ってその横断面積を拡大するように傾斜面を有して手で掴む際に指に掛かる掛止構造を形成するが、さらにカバー布１５を介して縛ることにより、把持部１２をより大きく掴みやすい状態にすることができる。
【００２０】
また、上記のように開放部１４ｂを紐１６で絞って炭２０を封入する構成としたことで、長期の使用により炭２０で水分が飽和した場合にこれを一端回収してから紐１６を解けば、内部の炭２０を容易に外に出すことができ、これを天日に干すことにより短時間で乾燥して炭２０の機能を回復できるものとなる。
【００２１】
尚、このカバー布１５に例えば西陣織のように鮮やかな色彩や模様を付した織物を用いれば、陰湿な印象を与えやすい納骨室内を華やかなものに改善する効果が期待できる。また、絞り部１３を形成するための紐１６についても、組紐のように審美性に富んだものを使用すれば、調湿具１０全体としてのデザイン性を高めることもできる。
【００２２】
次に、本実施の形態の納骨室用の調湿具１０の使用方と作用について、図２乃至図４の縦断面図を使用しながら説明する。図２は、納骨室５を地上に設ける方式の墓１に使用する場合を示している。納骨室５は、周壁３で３方を囲まれて正面の開放部が蓋石８で塞がれ、その内部には棚７が設けられて骨壺３０は棚７の上から順に安置されるようになっており、棚７のスペースが足りなくなると底面５ｂ上にも安置される。
【００２３】
この墓１の場合、地中からの冷却作用により底面５ｂから結露が生じやすいため、この位置に調湿具１０を配置することで納骨室５の内部環境を清浄に維持しやすいものとなる。また、図において調湿具１０を２個配設する場合を示したが、その数は納骨室５の広さ、骨壺３０の数、湿気の強さによって適宜調整すればよく、通常１個〜３個で充分である。
【００２４】
図３は、納骨室６を地下に設ける方式の墓２に使用する場合を示している。これも、上述と同様に結露が生じやすい底面６ｂに調湿具１０を配設するが、このような地下配置式の納骨室６の場合は、周壁４の内面でも結露しやすいため、棚７にも調湿具１０を配設することが推奨される。
【００２５】
また、図４に示すように、骨壺３０が増えて底面５ｂにも安置するような場合、骨壺３０，３０の間に調湿具１０を挟み込むように配設してもよい。そして、図２乃至図４の各場合に共通して、納骨室５，６内に配設した調湿具１０の炭２０に吸着した水分が飽和した頃合いをみて、蓋石８，９を外しこれらを取り出す。このとき、調湿具１０を廃棄して新しいものに交換するか、或いは調湿具１０をそのまま天日に干したり中の炭２０を取り出して乾燥させてから、再度納骨室５，６内に適当数配設する。
【００２６】
このメンテナンス作業において、納骨室５，６内は狭く暗いとともに奥まで手が届きにくい状況であるが、従来の炭をそのまま敷き詰めるような方式では作業に大変な労力を伴うことに加え炭の粉で汚れやすいという問題があって専門業者に依頼する必要性が高かったのに対し、炭２０を小袋に纏め把持部１２を設けた本実施の形態では、暗くても調湿具１０の把持部１２を掴んで容易に回収することができ、しかも回収・配設の手間が調湿具１０の数だけで済むことから、メンテナンス作業が極めて容易なものとなる。
【００２７】
従って、従来は骨壺３０の追加や整理の際にしか炭の交換を実施できずに納骨室５，６内の劣悪な内部環境を放置しがちであったのに対し、本実施の形態により、素人でも容易に交換できるようになって盆や法事の度に実施する等、必要に応じて比較的頻繁に行えるものとなり、先祖や亡くなった家族を祀る者として満足感が得られやすいものとなる。尚、絞り部１３から把持部１２に続く形状としたことで、手ではなくマジックハンドや先に鉤を設けた棒を用いて遠隔的に調湿具１０を扱うことも可能となるため、手の届きにくい納骨室を有する墓において一層の作業の容易化が図れるものとなる。
【００２８】
以上、述べたように、納骨室用調湿具について、本考案により低コストで湿度の過剰状態を解消しながら、多大な手間・労力を要することなくメンテナンスを実施可能として、その調湿機能を有効に発揮させながら納骨室内部を清潔に維持できるものとなった。
【図面の簡単な説明】
【００２９】
【図１】（Ａ）は本考案の実施の形態を示す正面図、（Ｂ）は（Ａ）のＸ−Ｘ線に沿う断面図。
【図２】図１の調湿具の使用状態を示す縦断面図。
【図３】図１の調湿具の使用状態を示す縦断面図。
【図４】図１の調湿具の使用状態を示す縦断面図。
【図５】従来例における調湿具の使用状態を示す縦断面図。
【図６】従来例における調湿具の使用状態を示す縦断面図。
【符号の説明】
【００３０】
１，２  墓、３，４  周壁、５，６  納骨室、７  棚、８，９  蓋石、１０  調湿具、１１  炭収納部、１２  把持部、１３  絞り部、１４  収納袋、１４ａ  底部、１４ｂ 開放部、１５  カバー布、２０  炭、３０  骨壺
【図１】
0003135411.tif 000003
【図２】
0003135411.tif 000004
【図３】
0003135411.tif 000005
【図４】
0003135411.tif 000006
【図５】
0003135411.tif 000007
【図６】
0003135411.tif 000008